(57)【要約】【課題】人体の脂肪をもみ出す方法は、従来より手もみが主流である。ハンドローラー、電気按摩機等は存在しているが高価な装置が多く一般に普及するには課題が残されていた。本発明は、手動でローラーを回転させ太腿、腹筋、二の腕の筋肉などの上下肢及び胴体同時に作用し、各部の脂肪をローラーでもみ出す安価な装置である。【解決手段】操作者は基板平面部Ａに仰向けに寝そべり、二条のローラー付ベルトＬ１及びＬ２を胴体に装着する。次に下肢を持ち上げ踏込部Ｃを足で踏込み、下肢及び胴体の筋肉を同時に鍛えながら連動する歯車軸Ｈ、ベルトＫ、笠歯車Ｉ，Ｊから  ローラー付ベルトＬに力を伝達し腹部に圧接した二条のローラー付ベルトＬ１及びＬ２をそれぞれ逆回転させる。又、同時に押下部ローラーＰに押し付けた二の腕を上下させ、それぞれの部位の贅肉をローラーの回転による作用をもって贅肉をもみ出す装置。【選択図】  図１
2008022883.tif 000002
【特許請求の範囲】
【請求項１】
矩形の一体に形成された基板平面部と基板垂直部より構成され、基板平面部はベルトチェーンにより連結された歯車と笠歯車とに連結されたローラー付ベルト及びベルト巻取部とバネ及び押下部ローラーとを有し基板垂直部は歯車軸と歯車と内部にバネを施した踏込部及び踏込部下部を有し、操作者が前記踏込部を押すことにより、左右それぞれ逆方向に前記踏込部下部が歯車軸を中心に歯車を回転させ、連接された前記ベルトチェーンが他端に設けた歯車と笠歯車を回転させることにより前記複数条のローラー付ベルトがそれぞれ逆方向に往復運動する。また前記基板平面部に設けた下部にバネを施したローラー支持部の押下部ローラーを操作者が上肢で押し下げることにより前記押下部ローラーとローラー支持部が下方へ沈降し、バネの作用で再上昇する機能を有する押下部ローラーを有し、操作者の脂肪もみ出し所望部位に圧接したローラーが回転し、脂肪をみ出す目的を達成する脂肪もみ出し装置。
【発明の詳細な説明】
【技術分野】
【０００１】
本発明は、脂肪のもみ出し装置に関する。  
【背景技術】
【０００２】
人体の筋肉の鍛錬と贅肉のもみ出しを同時に手動で行い、二条のローラーがそれぞれ
逆回転する装置と二の腕を押し下げることによりローラーの作用で贅肉のもみ出しを所
望する部位へ同時に作用することを兼備する装置は存在していなかった。
【特許文献１】公開実用  平５−７４５２８
【特許文献２】特開２０００−１５２９７０
【特許文献３】登録実用  ３０９６８９８
【特許文献４】登録実用  ３０９８５０３
【発明の開示】
【発明が解決しようとする課題】
【０００３】
腹部マッサージのみには効果があるが、同時に上肢及び下肢の筋肉が疲労するという課題は残されていた。（特許文献１）
【０００４】
身体のマッサージには効果があるが、脂肪をもみ出すには課題が残されていた。（特許文献２）
【０００５】
身体の局所的なマッサージには効果があるが、複数の部位を同時にマッサージする
には、課題が残されていた。（特許文献３）
【０００６】
電力を必要とするために経済的な側面に課題は残されていた。（特許文献４）
【課題を解決するための手段】
【０００７】
本発明は背景技術に残されていた課題を解決しようとするものであり操作者は基板平面部Ａに仰向けに寝そべり二条のローラー付ベルトＬ１及びＬ２を胴体に装着する。
次に下肢を持ち上げ踏込部Ｃを足で踏込み、下肢及び胴体の筋肉を同時に鍛えながら連動する歯車軸Ｈ、ベルトＫ、笠歯車Ｉ及びＪからローラー付ベルトＬ１及びＬ２に力を伝達し、腹部に装着した二条のローラー付ベルトＬ１及びＬ２をそれぞれ逆方向に回転させる。また同時に押下部ローラーＰに押し付けた二の腕を上下させそれぞれ贅肉のもみ出しを所望する部位の贅肉をローラーの回転による作用をもって贅肉をもみ出す装置を提供するものである。
【発明の効果】
【０００８】
本発明は家庭等に備えて随時使用することが可能であり、筋肉の鍛錬、もみほぐし、マッサージ及び贅肉のもみ出しの効果を同時に得ることが可能である。
背景技術では人体のそれぞれの部位に対する装置は別個に存在していたが本発明の装置は前記のとおり同時に複数個所の効果を得ることが可能である。また手動である為に経済的にも安価に提供することが可能である。
【発明を実施するための最良の形態】
【０００９】
本発明を実施するための最良の形態を図面を参照して説明する。図１は基板平面部Ａ      
に操作者が仰向けに寝そべり、踏込部Ｃを下肢で踏み込んでいる形態と、二の腕をローラーＰに押し付けている形態である。操作者が踏込部Ｃを下肢で踏み込むことにより、連動して腹部に圧接しているローラー付ベルトＬ１とローラー付ベルトＬ２がそれぞれ逆方向に回転する。又、操作者が二の腕を押し下げることによりローラーＰが回転し、それぞれ腹部と二の腕の贅肉をもみ出す。
【実施例】
【００１０】
図２は基板平面部Ａの内部平面図である。操作者が踏込部下部Ｄを押し下げることにより、歯車Ｇと歯車軸Ｈはそれぞれ逆方向に回転し、連接しているベルトチェーンが他端に設けた歯車Ｉと笠歯車Ｊに力を伝達し連動してローラー付ベルトＬ１及びＬ２がそれぞれ逆方向に回転し、操作者の腹部に圧接したローラーＭが回転しながら贅肉をもみ出す機能を発揮する。又、二の腕に圧接する押下部Ｐとローラー支持部Ｎを押し下げ沈降させるとローラー支持部Ｎの下部に設けたバネＯの復元作用により再上昇し反復上下運動が可能となる。又、  基板平面部に設けたベルト巻取部の内部にはコイル状の板バネを施しベルの巻取及び復元作用が発現される。
【００１１】
図３は基板平面部Ａに設けた二の腕の脂肪もみ出し装置の斜視図である。操作者が二の腕を押下部ローラーＰに圧接し押し下げることにより、ローラー支持部Ｎ共々下方に沈降し押下部ローラーＰが回転することにより二の腕の贅肉をもみ出す。次に沈降した押下部ローラーＰとローラー支持部Ｎは下方に設けたバネＯの復元作用により再上昇し反復上下運動が可能となる。
【００１２】
図４は操作者が基板平面部Ａに仰向けに寝そべり操作している斜視図である。操作者      が下肢で踏込部Ｃを押し下げることにより、踏込部下部Ｄの先端が基板平面部Ｂの内部に設けた歯車Ｆに力を伝達すると歯車軸Ｈと歯車Ｇが回転し、連接されたベルトチェーンＫが笠歯車Ｉに連接した笠歯車Ｊに力を伝達し、ローラー付ベルトＬ１及びＬ２が連動してそれぞれ逆方向に回転し、操作者の腹部に圧接しているローラーＭが回転する。又、二の腕に圧接する押下ローラーＰとローラー支持部Ｎを押し下げ沈降させるとローラー支持部Ｎの下部に設けたバネＯの復元作用により再上昇し反復上下運動が可能とる。
【００１３】
前記は一実施例を示したものであり、本発明の装置は操作者の意のままに実施することが可能である。たとえば二の腕のみの操作であっても良く、下肢のみを踏み込み腹部のローラーによる贅肉にもみ出しのみでも良い。又、上肢、下肢共に同時に操作することに限定されず贅肉のもみ出しを所望する部位にそれぞれ部分的に実施したとしても充分に期待した効果が発現される。
【００１４】
図面では二条のローラー付ベルトを表示してあるが二条にこだわらず複数条でも可能であり、ローラーの個数及び間隔も任意に設定が可能である。
【００１５】
本発明の別の実施例としては、リハビリ等の医療行為にも充分にその効果が発現する。
【００１６】
歯車Ｇはプーリーを使用することも可能であり、ベルトチェーンもベルト又はチェーンでも充分にその機能を発現する。
【図面の簡単な説明】
【００１７】
【図１】本発明の一実施例を示す断面図である。
【図２】本発明の一実施例を示す断面図である。
【図３】本発明の一実施例を示す斜視図である。
【図４】本発明の一実施例を示す斜視図である。
【符号の説明】
【００１８】
Ａ  基板平面部
Ｂ  基板垂直部
Ｃ  踏込部
Ｄ  踏込部下部
Ｅ  バネ
Ｆ  歯車
Ｇ  歯車
Ｈ  歯車軸
Ｉ  笠歯車
Ｊ  笠歯車
Ｋ  チェーンベルト
Ｌ１  ローラー付ベルト
Ｌ２  ローラー付ベルト
Ｍ  ローラー
Ｎ  ローラー支持部
Ｏ  バネ
Ｐ  押下部ローラー
Ｑ  ベルト巻取部
【図１】
2008022883.tif 000003
【図２】
2008022883.tif 000004
【図３】
2008022883.tif 000005
【図４】
2008022883.tif 000006